(57)【要約】【課題】往復可動部品の駆動源であるソレノイドの電力消費量を従来よりも抑えることが可能な遊技機の提供を目的とする。【解決手段】本発明のパチンコ遊技機１０は、往復可動部品（装飾用透光部材３２及び１対の開閉カバー３５，３６）をその可動範囲の終端寄り位置で停止保持する位置保持機構（オルタネイト機構７０）を備えたので、これらの各位置に停止させるためにソレノイド４０を通電し続ける必要が無くなり、電力消費量を抑えることができる。また、往復可動部品と、ソレノイド４０と、位置保持機構とが、パチンコ遊技機１０の前後方向に並んで配置されているから、パチンコ遊技機１０の前後方向と直交する方向において、可動装飾役物３０をコンパクトにすることができる。【選択図】図５
2014212920.tif 000002
【特許請求の範囲】
【請求項１】
ソレノイドから駆動力を受けて始端位置から終端位置まで移動可能に構成されかつ、前記ソレノイドによって弾性変形される弾性部材の弾発力によって前記終端位置から前記始端位置まで移動可能に構成された往復可動部品を含んだ可動装飾役物を有する遊技機において、
前記往復可動部品が前記始端位置に停止した状態で前記ソレノイドに通電して前記往復可動部品を前記終端位置まで移動した場合には、その通電を停止したときに前記弾性部材の弾発力にて前記終端位置側に移動する前記往復可動部品を、前記終端位置寄りの中間位置である終端寄中間位置に保持する一方、前記往復可動部品が前記終端寄中間位置に保持している状態で前記ソレノイドに通電して前記往復可動部品を前記終端位置まで移動した場合には、その通電を停止したときに前記往復可動部品が前記弾性部材の弾発力にて前記終端位置まで移動することを許容する位置保持機構を備えたことを特徴とする遊技機。
【請求項２】
前記ソレノイドの軸方向を前記遊技機の前後方向に向け、
前記ソレノイドの磁力により前記ソレノイド側に引き寄せられる一方、前記弾性部材の弾発力により前記ソレノイドから遠ざかるように直動するプランジャを、前記ソレノイドから突出した状態に配置し、
前記往復可動部品として、前記ソレノイドより前側に配置され、前記プランジャと一体に直動するように連結された直動部品を備え、
前記位置保持機構は、
前記プランジャの先端部に取り付けられて前記プランジャと一体に前後に直動しかつ前記プランジャに対して回転する可動ローラと、前記可動ローラの外側に嵌合した固定スリーブとを含んで構成されたことを特徴とする請求項１に記載の遊技機。
【請求項３】
前記往復可動部品として、前記始端位置と前記終端位置との間で直動する直動部品と、前記直動部品の直動方向と直交する回転軸を中心にして前記始端位置と前記終端位置との間で回動する回動部品とを備え、
前記直動部品と前記回動部品とを前記始端位置と前記終端位置との間で連動するように連結した連結機構を備えたことを特徴とする請求項１又は２に記載の遊技機。
【請求項４】
前記直動部品は、遊技機の前後方向において、前記始端位置としての後端位置と前記終端位置としての前端位置との間で直動し、
前記回動部品は、前記直動部品の前方を覆った前記始端位置としての閉位置と、前記直動部品の前方から退避した前記終端位置としての開位置との間で回動することを特徴とする請求項３に記載の遊技機。
【請求項５】
前記回動部品は、遊技球が流下する遊技領域に配置されると共に、上下に対をなして設けられて、それら１対の回動部品がキャラクターの頭部おける上顎及び下顎を模した形状をなし、
前記直動部品は、遊技球を模した球面を有しかつその球面が透光性を有する金属調装飾膜で覆われた装飾用透光部材を前端部に備え、
前記装飾用透光部材の後方から前記装飾用透光部材に光を照射する発光源を備えたことを特徴とする請求項４に記載の遊技機。
【発明の詳細な説明】
【技術分野】
【０００１】
本発明は、ソレノイドを駆動源とする往復可動部品を備えた遊技機に関する。
【背景技術】
【０００２】
この種の従来の遊技機としては、操作ボタンを覆うボタンカバーを往復可動部品として備え、操作ボタンの操作が必要になった場合に、ソレノイドに通電してボタンカバーを開放するようにしたものが知られている（例えば、特許文献１参照）。
【先行技術文献】
【特許文献】
【０００３】
【特許文献１】特開２００７−５５０号公報（段落［００３５］、第２図）
【発明の概要】
【発明が解決しようとする課題】
【０００４】
ところで、上述した従来の遊技機では、ボタンカバーを開放状態に維持する場合、ソレノイドに通電し続ける必要があり、電力消費量が大きいという問題があった。
【０００５】
本発明は、上記事情に鑑みてなされたものであって、往復可動部品の駆動源であるソレノイドの電力消費量を従来よりも抑えることが可能な遊技機の提供を目的とする。
【課題を解決するための手段】
【０００６】
上記目的を達成するためになされた請求項１の発明に係る遊技機は、ソレノイドから駆動力を受けて始端位置から終端位置まで移動可能に構成されかつ、ソレノイドによって弾性変形される弾性部材の弾発力によって終端位置から始端位置まで移動可能に構成された往復可動部品を含んだ可動装飾役物を有する遊技機において、往復可動部品が始端位置に停止した状態でソレノイドに通電して往復可動部品を終端位置まで移動した場合には、その通電を停止したときに弾性部材の弾発力にて終端位置側に移動する往復可動部品を、終端位置寄りの中間位置である終端寄中間位置に保持する一方、往復可動部品が終端寄中間位置に保持している状態でソレノイドに通電して往復可動部品を終端位置まで移動した場合には、その通電を停止したときに往復可動部品が弾性部材の弾発力にて終端位置まで移動することを許容する位置保持機構を備えたところに特徴を有する。
【０００７】
請求項２の発明は、請求項１に記載の遊技機において、ソレノイドの軸方向を遊技機の前後方向に向け、ソレノイドの磁力によりソレノイド側に引き寄せられる一方、弾性部材の弾発力によりソレノイドから遠ざかるように直動するプランジャを、ソレノイドから突出した状態に配置し、往復可動部品として、ソレノイドより前側に配置され、プランジャと一体に直動するように連結された直動部品を備え、位置保持機構は、プランジャの先端部に取り付けられてプランジャと一体に前後に直動しかつプランジャに対して回転する可動ローラと、可動ローラの外側に嵌合した固定スリーブとを含んで構成されたところに特徴を有する。
【０００８】
請求項３の発明は、請求項１又は２に記載の遊技機において、往復可動部品として、始端位置と終端位置との間で直動する直動部品と、直動部品の直動方向と直交する回転軸を中心にして始端位置と終端位置との間で回動する回動部品とを備え、直動部品と回動部品とを始端位置と終端位置との間で連動するように連結した連結機構を備えたところに特徴を有する。
【０００９】
請求項４の発明は、請求項３に記載の遊技機において、直動部品は、遊技機の前後方向において、始端位置としての後端位置と終端位置としての前端位置との間で直動し、回動部品は、直動部品の前方を覆った始端位置としての閉位置と、直動部品の前方から退避した前記終端位置としての開位置との間で回動するところに特徴を有する。
【００１０】
請求項５の発明は、請求項４に記載の遊技機において、回動部品は、遊技球が流下する遊技領域に配置されると共に、上下に対をなして設けられ、それら１対の回動部品がキャラクターの頭部おける上顎及び下顎を模した形状をなし、直動部品は、遊技球を模した球面を有しかつその球面が透光性を有する金属調装飾膜で覆われた装飾用透光部材を前端部に備え、装飾用透光部材の後方から装飾用透光部材に光を照射する発光源を備えたところに特徴を有する。
【発明の効果】
【００１１】
［請求項１の発明］
請求項１の遊技機によれば、位置保持機構を備えたので、ソレノイドの通電を停止した状態でも、往復可動部品をその可動範囲における終端位置寄りの終端寄中間位置に停止させることができ、電力消費量を従来よりも抑えることが可能になる。
【００１２】
［請求項２の発明］
請求項２の発明によれば、往復可動部品としての直動部品と、ソレノイドと、位置保持機構とが、遊技機の前後方向に並んで配置されているから、遊技機の前後方向と直交する方向において、可動装飾役物をコンパクトにすることが可能になる。
【００１３】
［請求項３の発明］
請求項３の発明によれば、直動部品を直動させながら回動部品を回動させることができ、しかも、ソレノイドの通電を停止した状態で、直動部品をその直動範囲の一端寄り位置に停止させると共に、回動部品をその回動範囲の一端寄り位置に停止させることができるから、可動装飾役物による演出効果を高めることが可能になる。
【００１４】
［請求項４の発明］
請求項４の発明によれば、回動部品を閉位置から開位置へと回動させると共に、その回動部品の後側から直動部品を遊技者側に向けて前進させるという演出動作を行うことができ、演出効果をさらに向上させることが可能になる。また、ソレノイドの通電を停止した状態で、直動部品をその前端寄り位置に停止させると共に、回動部品を開位置寄り位置に停止させて、直動部品が見える状態を維持することができるから、電力消費量を抑えながら、直動部品を見易くすることが可能になる。
【００１５】
［請求項５の発明］
請求項５の発明によれば、上下１対の回動部品は、キャラクターの頭部おける上顎及び下顎を模した形状となっており、直動部品の前端部には、遊技球を模した装飾用透光部材を備えているから、あたかも、キャラクターの口の中から迫り出した球技球を上顎と下顎との間で銜えているかのような状態で回動部品及び直動部品を停止させることが可能になる。また、装飾用透光部材の後方に配置された発光源の光が、装飾用透光部材に照らされるから、あたかもキャラクターが口で銜えた遊技球が光り輝いているかのように見え、演出効果を向上させることが可能になる。
【図面の簡単な説明】
【００１６】
【図１】本発明の第１実施形態に係るパチンコ遊技機の正面図
【図２】遊技板の正面図
【図３】可動装飾役物の正面図
【図４】可動装飾役物の開閉カバーが（Ａ）閉位置のときの正面図、（Ｂ）開位置のときの正面図、（Ｃ）開位置寄り位置のときの正面図
【図５】可動装飾役物の開閉カバーが（Ａ）閉位置のときの斜視図、（Ｂ）開位置のときの斜視図、（Ｃ）開位置寄り位置のときの斜視図
【図６】可動装飾役物の開閉カバーが（Ａ）閉位置のときの側面図、（Ｂ）開位置のときの側面図、（Ｃ）開位置寄り位置のときの側面図
【図７】開閉カバーを取り除いた可動装飾役物の（Ａ）閉位置のときの斜視図、（Ｂ）開位置のときの斜視図、（Ｃ）開位置寄り位置のときの斜視図
【図８】開閉カバーを取り除いた可動装飾役物の（Ａ）閉位置のときの側面図、（Ｂ）開位置のときの側面図、（Ｃ）ラッチ位置のときの側面図
【図９】開閉カバーが閉位置のときのオルタネイト機構の展開図
【図１０】開閉カバーが開位置のときのオルタネイト機構の展開図
【図１１】開閉カバーが開位置寄り位置のときのオルタネイト機構の展開図
【図１２】ラッチ状態からソレノイドを通電したときのオルタネイト機構の展開図
【図１３】ラッチ解除状態に復帰したオルタネイト機構の展開図
【図１４】第２実施形態に係る可動装飾役物の側面図
【図１５】オルタネイト機構の展開図
【発明を実施するための形態】
【００１７】
［第１実施形態］
以下、本発明を適用したパチンコ遊技機１０の第１実施形態を、図１〜図１３に基づいて説明する。図１に示すように、パチンコ遊技機１０は、遊技球が流下可能な略円形の遊技領域Ｒ１を備え、その遊技領域Ｒ１をパチンコ遊技機１０の前面から視認可能となっている。遊技領域Ｒ１には、液晶表示装置１５が配置されており、液晶表示装置１５の周囲には、入賞ゲート１６、風車１７及び複数の入賞部１８，２０，２２，２３が配置されている。
【００１８】
遊技領域Ｒ１の下方には、遊技球を貯留可能な上皿１２及び下皿１３が上下二段にして設けられている。下皿１３の右側方には、発射操作ノブ１４が備えられ、この発射操作ノブ１４を回動操作することで、図示しない発射装置から遊技領域Ｒ１に向かって遊技球が発射される。遊技領域Ｒ１を流下する遊技球が、遊技領域Ｒ１に配置された各種入賞部１８，２０，２２，２３に入球すると、賞球として所定数の遊技球が上皿１２に払い出される。また、入賞部１８，２３への入球を契機として、液晶表示装置１５では表示演出が行われる。
【００１９】
図２には、遊技領域Ｒ１を前面に備えた遊技板１１が示されている。液晶表示装置１５は、遊技領域Ｒ１の向かって右上側に偏って配置されている。液晶表示装置１５は、表示装飾枠１５Ｗの奥側に液晶画面１５Ｇを備えている。表示装飾枠１５Ｗの上辺及び左右両側辺は、遊技板１１の前面から突出しているのに対し、表示装飾枠１５Ｗの下辺は遊技板１１の前面より奥まっており、その上面は、遊技球が転動可能なステージ１５Ｓとなっている。ステージ１５Ｓは、左右両端部から中央部に向かって下り傾斜しており、表示装飾枠１５Ｗの左側辺には、表示装飾枠１５Ｗの側方を流下する遊技球を、ステージ１５Ｓへと誘導するための誘導通路１５Ｔが設けられている。誘導通路１５Ｔから放出された遊技球は、ステージ１５Ｓ上を左右に往復動した後、ステージ１５Ｓの中央部から流下する。
【００２０】
液晶表示装置１５の右側方には入賞ゲート１６が設けられている。入賞ゲート１６は上下方向に貫通した門形構造をなし、遊技球が１つずつ通過可能となっている。
【００２１】
液晶表示装置１５におけるステージ１５Ｓの中央部下方には、第１始動入賞部１８が配置されている。第１始動入賞部１８は上面が開放したポケット構造をなしている。
【００２２】
第１始動入賞部１８の右側方には、大入賞部２０が設けられている。大入賞部２０は、遊技板１１の前面に開放した横長矩形の大入賞口２０Ａを有し、常には、その大入賞口２０Ａが横長の開閉扉２１にて閉鎖されている。開閉扉２１は、所定の条件が成立した場合（例えば、第１始動入賞部１８又は後述する第２始動入賞部２３への入賞時に行われた大当たり抽選で当選した場合）に前側に倒れて大入賞口２０Ａを開放し、その倒れた開閉扉２１を案内にして、大入賞口２０Ａに遊技球が進入可能となっている。
【００２３】
大入賞部２０のさらに右側には、普通入賞部２２が１つ設けられている。また、第１始動入賞部１８を挟んで大入賞部２０とは反対側には、複数（３つ）の普通入賞部２２，２２が並んで配置されている。これら普通入賞部２２は、第１始動入賞部１８と同様に上面が開放したポケット構造をなしている。
【００２４】
第１始動入賞部１８の下方には、第２始動入賞部２３が設けられている。図３に示すように、第２始動入賞部２３は、遊技板１１の前面に開放した始動入賞口２３Ａを備え、常には、その始動入賞口２３Ａが矩形の開閉扉２４にて閉鎖されている。開閉扉２４は、所定の条件が成立した場合（例えば、入賞ゲート１６への入賞時に行われた小当たり抽選で当選した場合）に前側に倒れて始動入賞口２３Ａが開放し、その倒れた開閉扉２４を案内にして始動入賞口２３Ａに遊技球が進入可能となっている。
【００２５】
図３に示すように、第２始動入賞部２３の下方と左右両側には、それぞれ独立した３つのアウト口１９が設けられている。上述した何れの入賞部１８，２０，２２，２３にも入らずに遊技領域Ｒ１の下端部まで達した遊技球は、これらアウト口１９によって回収される。中央のアウト口１９と左右のアウト口１９，１９は、それぞれ壁部１９Ｈ，１９Ｈによって区画されており、それら壁部１９Ｈ，１９Ｈの間には、第２始動入賞部２３と中央のアウト口１９とを連絡した縦孔１９Ａが形成されている。縦孔１９Ａの上端部には、開閉扉２４の下端部が回動可能に軸支されている。縦孔１９Ａは、遊技球が通過可能な大きさとなっており、その上面開口が、前側に倒れた開閉扉２４によって閉鎖可能となっている。
【００２６】
さて、図３に示すように、第１始動入賞部１８の真下かつ第２始動入賞部２３の真上には、可動装飾役物３０が設けられている。可動装飾役物３０は、第１始動入賞部１８及び第２始動入賞部２３と共通の固定ベース２５に組み付けられており、その固定ベース２５を介して遊技板１１に取り付けられている。
【００２７】
可動装飾役物３０は、パチンコ遊技機１０の前後方向に直動可能な装飾用透光部材３２（図７参照）と、その前方に配置された開閉カバー３５，３６（図５参照。本発明の「回動部品」及び「往復可動部品」に相当する）と、それら装飾用透光部材３２の直動と開閉カバー３５，３６の開閉とを連動可能に連結した連結機構を備えている。
【００２８】
図７（Ｂ）に示すように、装飾用透光部材３２は、遊技球を模した球面を有しかつその球面が透光性を有する金属調装飾膜で覆われている。また、装飾用透光部材３２の真後ろには、装飾用透光部材３２に光を照射するＬＥＤ３３Ａが固定配置されている。装飾用透光部材３２のうち、ＬＥＤ３３Ａとの対向面は、球状に湾曲した凹面となっている。また、ＬＥＤ３３Ａは、固定ベース２５に固定された回路基板３４に実装されている。
【００２９】
開閉カバー３５，３６は上下に対をなして設けられており、それら１対の開閉カバー３５，３６が互いに平行かつ水平な回転軸回りで回動可能となっている。１対の開閉カバー３５，３６は、図４（Ａ），図５（Ａ）及び図６（Ａ）に示す閉位置において、装飾用透光部材３２を前方から覆っており、その閉位置から互いに離れるように上下に回動する。そして、１対の開閉カバー３５，３６の開放動作に伴って、それら１対の開閉カバー３５，３６の間から装飾用透光部材３２が徐々に現れると共に、装飾用透光部材３２がパチンコ遊技機１０の前方（遊技者側）に直動するようになっている。以下、パチンコ遊技機１０の前方への直動を「前進」といい、パチンコ遊技機１０の後方への直動を「後退」という。
【００３０】
図４に示すように、１対の開閉カバー３５，３６は、パチンコ遊技機１０の演出内容に対応した所定の立体形状となっている。本実施形態では、例えば、液晶画面１５Ｇに登場するキャラクターの頭部を模した立体形状となっている。また、これら開閉カバー３５，３６は、「キャラクターの頭部」のうち「両眼」に相当する部分を除いた全体が、光を透過しない被膜（例えば、金属調被膜）で覆われており、「両眼」に相当する部分が、光を透過する透光窓３５Ａとなっている。また、回路基板３４にはＬＥＤ３３Ａとは別のＬＥＤ３３Ｂ（図７（Ｂ）及び同図（Ｃ）参照）が実装されており、そのＬＥＤ３３Ｂの光を、透光窓３５Ａ、即ち、キャラクターの両眼に相当する部分から外部に漏らすことができる。なお、本実施形態の透光窓３５Ａは透明又は半透明な透光部材で塞がれているが、透光窓３５Ａは、開閉カバー３５を貫通した孔でもよい。
【００３１】
１対の開閉カバー３５，３６のうち、上側の開閉カバー３５は、キャラクターの頭部における上顎より上側の部分を模した立体形状となっており、下側の開閉カバー３６は、キャラクターの顔面における下顎より下側の部分を模した立体形状になっている。以下、１対の開閉カバー３５，３６を区別する場合には、上側の開閉カバー３５を「第１開閉カバー３５」といい、下側の開閉カバーを「第２開閉カバー３６」という。
【００３２】
図８に示すように、可動装飾役物３０は、固定ベース２５に対してパチンコ遊技機１０の前後方向に直動可能なプランジャ４１と、プランジャ４１をパチンコ遊技機１０の後方に付勢する圧縮コイルバネ４２（本発明の「弾性部材」に相当する）と、圧縮コイルバネ４２に抗してプランジャ４１を吸引する（前進させる）ソレノイド４０とを備えている。ソレノイド４０は、上述した装飾用透光部材３２及び１対の開閉カバー３５，３６の後方に配置されて、固定ベース２５に固定されている。
【００３３】
また、可動装飾役物３０は、プランジャ４１の直動によって装飾用透光部材３２を前後方向に直動させるための力伝達バー４４を備えている。力伝達バー４４は、ソレノイド４０の下方で前後方向に延びており、その前端部には装飾用透光部材３２が一体に設けられている。一方、力伝達バー４４の後端部には、連結リング４５が一体に設けられており、その連結リング４５を、プランジャ４１が直動可能かつ抜け止め状態で貫通している。連結リング４５は、プランジャ４１と直交した平板状をなしており、その連結リング４５とソレノイド４０の後端面との間に、圧縮コイルバネ４２が突っ張り状態で配置されている。なお、装飾用透光部材３２及び連結リング４５を含む力伝達バー４４の全体が本発明の「直動部品」及び「往復可動部品」に相当する。
【００３４】
連結機構は、力伝達バー４４の直動を１対の開閉カバー３５，３６の回動に変換することが可能となっており、装飾用透光部材３２の前後方向への直動と、１対の開閉カバー３５，３６の開閉とを、共通のソレノイド４０を駆動源にして行うことが可能となっている。具体的には、図８に示すように、力伝達バー４４の前端寄り位置には、連結突壁４６が一体に設けられている。連結突壁４６は力伝達バー４４の上面から直角に起立しており、その先端部が前後方向で二股に分かれた先割れ形状をなしている。そして、連結突壁４６の先端部には、後述する第１カバー固定部材５０が連結されている。
【００３５】
図８に示すように、固定ベース２５には、ソレノイド４０の前方に突出した上下１対のヒンジ部２６，２７が備えられている。これら１対のヒンジ部２６，２７のうち、下側に配置された第２ヒンジ部２７は、水平方向で対向した１対のヒンジ片２７Ａ，２７Ａ（図面には片方のヒンジ片２７Ａのみが示されている）によって構成され、それら１対のヒンジ片２７Ａ，２７Ａの間に第２カバー固定部材６０が回動可能に支持されている。第２カバー固定部材６０は、その回転軸を中心にして相反する方向、即ち、上方及び下方に張り出したシーソー状をなしている。第２カバー固定部材６０のうち、１対のヒンジ片２７Ａ，２７Ａと対向した両側面には軸部６１，６１が突出形成されており、それら軸部６１，６１が１対のヒンジ片２７Ａ，２７Ａに形成された軸受孔に回転可能に支持されている。また、第２カバー固定部材６０のうち、その回転軸より下側部分には、横長矩形の挿通孔６０Ａが貫通形成されており、その挿通孔６０Ａに力伝達バー４４の先端寄り部分（詳細には、装飾用透光部材３２と連結突壁４６との中間部分）が遊嵌状態で挿通されている（図７参照）。なお、第２カバー固定部材６０のうち、挿通孔６０Ａよりも下側には、第２開閉カバー３６を取り付ける（螺子止めする）ための取付用孔６０Ｂが形成されている。
【００３６】
第２カバー固定部材６０の上端部は、その回転軸方向（パチンコ遊技機１０の左右方向）で二股に分かれており、その先割れ凹部を挟んで配置された１対の二股片同士の間には、第２カバー固定部材６０の回転軸と平行な第２連結バー６２が架け渡されている（図８参照）。
【００３７】
１対のヒンジ部２６，２７のうち、上側に配置された第１ヒンジ部２６は、水平方向で対向した１対のヒンジ片２６Ａ，２６Ａの間にヒンジピン２６Ｂを抜け止め状態で架け渡してなり、そのヒンジピン２６Ｂに、第１カバー固定部材５０が回転可能に支持されている。
【００３８】
第１カバー固定部材５０は、ヒンジピン２６Ｂの外側に嵌合した回転筒部５１を備え（図７（Ａ）参照）、その回転筒部５１の外側面から第２カバー固定部材６０に向かって連結アーム５２が突出している。連結アーム５２の下端部は、前後に二股に分かれた先割れ構造になっており、その先割れ凹部に、第２カバー固定部材６０の第２連結バー６２が受容されている。これにより、第１カバー固定部材５０と第２カバー固定部材６０とが、互いに逆向きに回転するように連結されている。なお、第２カバー固定部材６０の回転軸（軸部６１，６１）は、第１カバー固定部材５０の回転軸（ヒンジピン２６Ｂ）よりも、パチンコ遊技機１０の前方に配置されている。
【００３９】
第１カバー固定部材５０は、連結アーム５２の後方に１対の固定板５３，５３を備えている（図５〜図８には、一方の固定板５３のみが示されている）。また、これら固定板５３，５３と連結アーム５２との間は、中間板５４によって連結されている。１対の固定板５３，５３は、第１カバー固定部材５０の回転軸方向（パチンコ遊技機１０の左右方向）に離して配置されている。また、これら１対の固定板５３，５３には、第１開閉カバー３５を螺子止めするための螺子挿通孔５３Ａ，５３Ａが形成されている（図７参照）。さらに、１対の固定板５３，５３同士の間には、第１連結バー５５が架け渡されており（図７（Ａ）及び同図（Ｂ）参照）、この第１連結バー５５が、力伝達バー４４から起立した連結突壁４６の先割れ凹部に受容されている。
【００４０】
これにより、力伝達バー４４がパチンコ遊技機１０の前後方向に直動すると、装飾用透光部材３２が前後方向に直動すると共に、第１カバー固定部材５０と第２カバー固定部材６０とが、それぞれの回転軸を中心にして互いに相反する方向に回動して、上下１対の開閉カバー３５，３６が開閉動作をする。即ち、１対の開閉カバー３５，３６が互いに接近したり離れたり（接離）する。ここで、第１開閉カバー３５は、閉位置において第１カバー固定部材５０の回転軸（ヒンジピン２６Ｂ）より下側に配置されているので、図６（Ａ）から同図（Ｂ）への変化に示すように、閉位置から開位置に向かって開放動作する過程で、パチンコ遊技機１０の前方に迫り出す。一方、第２開閉カバー３６は、閉位置において第２カバー固定部材６０の回転軸（軸部６１，６１）より下側に配置されているので、図６（Ａ）から同図（Ｂ）への変化に示すように、閉位置から開位置に向かって開放動作する過程で、パチンコ遊技機１０の後方に引き下がる。
【００４１】
可動装飾役物３０の後端部には、ソレノイド４０が通電される度に、力伝達バー４４が後端位置まで後退することを禁止するラッチ状態と、力伝達バー４４が後端位置まで後退することを許容するラッチ解除状態とに交互に切り替わるオルタネイト機構７０（本発明の「位置保持機構」に相当する）が備えられている。以下、オルタネイト機構７０について説明する。
【００４２】
オルタネイト機構７０は、プランジャ４１と同軸上に配置されてプランジャ４１と共に直動可能な直動リング７１及び回転リング７４（図７及び図８参照。本発明の「可動ローラ」に相当する）と、固定ベース２５に固定されて直動リング７１及び回転リング７４を直動可能に受容した固定スリーブ７７（図５及び図６参照）とを備えている。
【００４３】
直動リング７１は、プランジャ４１の先端部に抜け止め状態で取り付けられている。図８に示すように、直動リング７１のうち、回転リング７４側の端面の外縁部には環状カム面７１Ａが形成されている。環状カム面７１Ａは、直動リング７１の全周に亘って連続した鋸歯状をなしている。また、直動リング７１には、その外周面から径方向に張り出した複数のガイド翼片７２が一体形成されている。ガイド翼片７２は、プランジャ４１の軸方向（パチンコ遊技機１０の前後方向）と平行な平板状をなしている。
【００４４】
回転リング７４は、直動リング７１と、力伝達バー４４の連結リング４５との間に挟まれており、プランジャ４１に対して直動可能かつ回転可能に支持されている。回転リング７４には、その外周面から径方向に張り出した複数のストッパ翼片７５が一体形成されている。ストッパ翼片７５は、回転リング７４の外周面を均等分（具体的には、６等分）した位置に配置されている。また、ストッパ翼片７５は、プランジャ４１の軸方向（パチンコ遊技機１０の前後方向）と平行な平板状をなしており、回転リング７４における直動リング７１側の端面から直動リング７１に向かって突出している。さらに、ストッパ翼片７５の先端部には、回転リング７４の周方向の一方に向かうに従って後方に迫り出した先端傾斜面７５Ａが形成されており、その先端傾斜面７５Ａと環状カム面７１Ａとが当接可能となっている。
【００４５】
図６に示すように、固定スリーブ７７の内周面には、複数の直動ガイド溝７７Ｍが形成されている。直動ガイド溝７７Ｍは、回転リング７４に形成された複数のストッパ翼片７５に対応して、固定スリーブ７７の内周面を均等分（具体的には、６等分）した位置に形成されており、固定スリーブ７７の軸方向の中間部より後側で軸方向に延びている。これら直動ガイド溝７７Ｍには、ストッパ翼片７５と直動リング７１のガイド翼片７２とがスライド可能（直動可能）に凹凸係合している。
【００４６】
固定スリーブ７７の内周面のうち、周方向で隣り合った直動ガイド溝７７Ｍ同士の間にはそれぞれストッパ壁７８が形成されている。これらストッパ壁７８は、直動ガイド溝７７Ｍによって固定スリーブ７７の周方向で互いに隔てられている。換言すれば、固定スリーブ７７の内周面には、その周方向で均等配置された複数のストッパ壁７８が形成されており、周方向で隣り合ったストッパ壁７８同士の間が、それぞれ直動ガイド溝７７Ｍとなっている。
【００４７】
ストッパ壁７８の前端面には、互いに不連続な１対の摺接面７８Ａ，７８Ｂが形成されている。これら摺接面７８Ａ，７８Ｂは、周方向の一方（回転リング７４の回転方向）に向かうに従って後退するように傾斜している。また、これら摺接面７８Ａ，７８Ｂの間には、周方向の他方を向いた段差面７８Ｃが設けられている。以下、これら摺接面７８Ａ，７８Ｂのうち、段差面７８Ｃよりも周方向の一方側に配置された方を「第２傾斜面７８Ｂ」とし、他方を「第１摺接面７８Ａ」とすると、第１摺接面７８Ａの終端部と第２摺接面７８Ｂの始端部とが段差面７８Ｃによって連絡している。
【００４８】
例えば、図８（Ａ）に示すように、プランジャ４１、回転リング７４、直動リング７１及び力伝達バー４４が後退端に位置する状態で、ソレノイド４０が通電（励磁）されてプランジャ４１が前進すると、図８（Ａ）から同図（Ｂ）への変化に示すように、直動リング７１が回転リング７４を後方から押して、それら回転リング７４及び直動リング７１が、直動ガイド溝７７Ｍを案内にして固定スリーブ７７内を前進する。図８（Ｂ）に示すように、プランジャ４１等が前進端に到達する直前に、回転リング７４に備えた複数のストッパ翼片７５がそれぞれ直動ガイド溝７７Ｍから離脱して、直動ガイド溝７７Ｍとストッパ翼片７５との係合による回転リング７４の回転規制が解除される。また、更なる前進により、図９から図１０への変化に示すように、ストッパ翼片７５の先端傾斜面７５Ａが、環状カム面７１Ａと摺接して、回転リング７４が周方向の一方に回動し、ストッパ翼片７５の先端がストッパ壁７８における第１摺接面７８Ａの始端部と対峙する。
【００４９】
プランジャ４１等が前進端に位置する状態で、ソレノイド４０の通電が停止（消磁）すると、図８（Ｂ）から同図（Ｃ）への変化に示すように、圧縮コイルバネ４２の付勢力によって回転リング７４、直動リング７１及び力伝達バー４４がプランジャ４１と共に後退する。このとき、図１１に示すように、ストッパ翼片７５の先端はストッパ壁７８の第１摺接面７８Ａと摺接して、回転リング７４が周方向の一方に回動する。そして、ストッパ翼片７５がストッパ壁７８の段差面７８Ｃと当接することで、回転リング７４の回転と後退とが禁止される。これにより、回転リング７４及び力伝達バー４４は、圧縮コイルバネ４２に抗して前端寄り位置で停止する。即ち、ソレノイド４０の通電が停止（消磁）した状態で、装飾用透光部材３２をその直動範囲の前端寄り位置（本発明の「終端寄中間位置」に相当する）で停止させかつ、１対の開閉カバー３５，３６を、図４（Ｃ），図５（Ｃ）及び図６（Ｃ）に示すように、装飾用透光部材３２を前方に露出させた開位置寄り位置（本発明の「終端寄中間位置」に相当する）に停止させることができる。
【００５０】
次に、再びソレノイド４０が通電（励磁）されてプランジャ４１が前進すると、直動リング７１が直動ガイド溝７７Ｍを案内にして前進すると共に、その直動リング７１に押された回転リング７４が段差面７８Ｃを案内にして前進する。そして、プランジャ４１が前進端に到達する直前に、図１２に示すように、回転リング７４のストッパ翼片７５が段差面７８Ｃを乗り越えて、段差面７８Ｃとストッパ翼片７５との係合による回転リング７４の回転規制が解除される。また、更なる前進により、ストッパ翼片７５の先端傾斜面７５Ａが、環状カム面７１Ａと摺接することで回転リング７４が周方向の一方に回動し、ストッパ翼片７５の先端がストッパ壁７８における第２傾斜面７８Ｂの始端部と対峙する。
【００５１】
プランジャ４１等が前進端に位置する状態で、再びソレノイド４０の通電が停止（消磁）すると、圧縮コイルバネ４２の付勢力によって回転リング７４及び直動リング７１がプランジャ４１と共に後退する。このとき、ストッパ翼片７５の先端が、ストッパ壁７８の第２傾斜面７８Ｂと摺接して回転リング７４が周方向の一方に回動し、図１３に示すように、ストッパ翼片７５が第２傾斜面７８Ｂの終端部から直動ガイド溝７７Ｍ内に進入する。これにより、回転リング７４及び力伝達バー４４が後端位置まで押し戻される。即ち、装飾用透光部材３２がその直動範囲の後端位置まで戻されると共に、１対の開閉カバー３５，３６が、図４（Ａ），図５（Ａ）及び図６（Ａ）に示すように、装飾用透光部材３２を前方から覆った閉位置に戻される。
【００５２】
本実施形態の構成は以上である。次に本実施形態の作用を説明する。遊技領域Ｒ１に打ち込まれた遊技球は、遊技領域Ｒ１に配置された図示しない障害釘、表示装飾枠１５Ｗ、風車１７等に接触して、ランダムな経路で流下する。入賞ゲート１６を遊技球が通過すると小当たり抽選が行われる。小当たり抽選に当選すると、第２始動入賞部２３に備えた開閉扉２４が前側に倒れて始動入賞口２３Ａが開放し、開閉扉２４を案内にして始動入賞口２３Ａに遊技球が入賞可能となる。また、第１始動入賞部１８又は第２始動入賞部２３に遊技球が入賞すると、大当たり抽選が行わる。大当たり抽選に当選すると、大入賞部２０に備えた開閉扉２１が前側に倒れて大入賞口２０Ａが開放し、開閉扉２１を案内にして大入賞口２０Ａに遊技球が入賞可能となる。
【００５３】
ところで、第１始動入賞部１８に遊技球が入賞すると、その下方に配置された可動装飾役物３０が作動する。即ち、可動装飾役物３０は、常には、図４（Ａ），図５（Ａ）及び図６（Ａ）に示すように、１対の開閉カバー３５，３６が閉じた状態で停止している。遊技者側から見ると、「キャラクターの口」が閉じた状態で停止している。
【００５４】
第１始動入賞部１８に遊技球が入賞（検出）したことを起因に、ソレノイド４０によってプランジャ４１が吸引され、力伝達バー４４が前進する。すると、力伝達バー４４の前端部に固定された装飾用透光部材３２が前進すると共に、１対の開閉カバー３５，３６が、それぞれの回転軸を中心にして、互いに離れるように上下に回動する。これを遊技者側から見ると、図４及び図５に示すように、キャラクターの上顎と下顎が徐々に開いて、その中から装飾用透光部材３２が出現すると共に、装飾用透光部材３２が徐々に遊技者側に接近してくるように見える。また、装飾用透光部材３２は、遊技球を模した球面を有し、その球面が金属調装飾膜で覆われているから、あたかも、「キャラクターの口」の中から遊技球が出てきたかのように見える。また、図６（Ａ）から同図（Ｂ）への変化に示すように、第１開閉カバー３５は開放動作によって徐々に前方に迫り出し、第２開閉カバー３６は開放動作によって徐々に後方に引き下がるから、装飾用透光部材３２が遊技者側に迫り来る印象が強調される。
【００５５】
１対の開閉カバー３５，３６が開放して装飾用透光部材３２が前方に露出すると、その装飾用透光部材３２の後方に固定配置されたＬＥＤ３３Ａが点灯して、装飾用透光部材３２に後方から光が照射される。これにより、「キャラクターの口」の中から出てきた遊技球が、内部から光り輝いているかのように見える。また、ＬＥＤ３３Ａの光を受けた状態で、装飾用透光部材３２が前進することで、ＬＥＤ３３Ａと装飾用透光部材３２との距離が変化し、装飾用透光部材３２の点光を抑制可能となり、装飾用透光部材３２に形状によっては、光を拡散・収束可能となり、装飾用透光部材３２を透過した光の見え方を変化させることができる。なお、ＬＥＤ３３Ａの点灯開始のタイミングは、１対の開閉カバー３５，３６の開放動作の開始に合わせてもよいし、図４（Ｂ），図５（Ｂ）及び図６（Ｂ）に示すように開位置（全開）になった後でもよい。
【００５６】
図４（Ｂ），図５（Ｂ）及び図６（Ｂ）に示すように、１対の開閉カバー３５，３６が開位置（全開）になりかつ、装飾用透光部材３２が前端位置に到達した後、ソレノイド４０に対する通電が停止（消磁）すると、オルタネイト機構７０が、図１１に示すようにラッチ状態になるので、力伝達バー４４は、圧縮コイルバネ４２の付勢力に抗してその直動範囲の前端寄り位置に係止され、それ以上の後退が禁止される。これにより、装飾用透光部材３２は前端寄り位置で停止し、１対の開閉カバー３５，３６は、装飾用透光部材３２を露出させた開位置寄り位置（図４（Ｃ），図５（Ｃ），図６（Ｃ）に示す位置）で停止する。即ち、１対の開閉カバー３５，３６が、ほぼ全開状態に維持されるから、装飾用透光部材３２を遊技者にとって見易くすることができる。また、この状態では、光り輝く遊技球をキャラクターが口で銜えているかのように見える。
【００５７】
その後、再びソレノイド４０の励磁と消磁が繰り返されると、図１１〜図１３への変化に示すように、オルタネイト機構７０が、ラッチ状態からラッチ解除状態に切り替わるので、力伝達バー４４が圧縮コイルバネ４２の付勢力によって後端位置に押し戻される。このとき、装飾用透光部材３２が１対の開閉カバー３５，３６の奥の後端位置に向かって後退すると共に、その装飾用透光部材３２を徐々に覆い隠すように１対の開閉カバー３５，３６が回動して閉位置（図４（Ａ），図５（Ａ），図６（Ａ）に示す位置）に戻される。
【００５８】
このように、本実施形態のパチンコ遊技機１０によれば、装飾用透光部材３２をその直動範囲の前端寄り位置に停止させると共に、１対の開閉カバー３５，３６を開位置寄り位置に停止させるオルタネイト機構７０を備えたので、これらの各位置に停止させるためにソレノイド４０を通電し続けて励磁状態を維持する必要が無くなり、電力消費量を抑えることができる。
【００５９】
また、往復可動部品としての装飾用透光部材３２及び１対の開閉カバー３５，３６と、ソレノイド４０と、オルタネイト機構７０とが、パチンコ遊技機１０の前後方向に並んで配置されているから、パチンコ遊技機１０の前後方向と直交する方向において、可動装飾役物３０をコンパクトにすることができ、配置スペースを容易に確保することができる。
【００６０】
また、１対の開閉カバー３５，３６が上下に開きながら、装飾用透光部材３２がそれら開閉カバー３５，３６の奥から遊技者側に向かって前進してくるという演出動作により、趣向性を向上させることができる。
【００６１】
また、可動装飾役物３０を、第１始動入賞部１８の近傍に配置し、その第１始動入賞部１８への遊技球の入賞を起因にして、１対の開閉カバー３５，３６が開放すると共に、その開放動作に合わせて装飾用透光部材３２が前進し、さらに、装飾用透光部材３２が光るので、第１始動入賞部１８と可動装飾役物３０の注目度を相互に高め合うことができ、第１始動入賞部１８に遊技球が進入したときの遊技の雰囲気を、より盛り上げることができる。
【００６２】
なお、オルタネイト機構７０の構成を纏めると以下のようになる。即ち、オルタネイト機構７０は、プランジャ４１に対して回転可能に軸支されかつ、プランジャ４１と共にソレノイド４０に対して進退可能な回転リング７４と、回転リング７４を直動可能に受容した固定スリーブ７７と、回転リング７４を周方向で均等分した位置から側方に張り出した複数のストッパ翼片７５と、固定スリーブ７７の内周面を周方向に均等分した位置で軸方向に延び、複数の各ストッパ翼片７５を直動可能に受容した複数の直動ガイド溝７７Ｍと、周方向で隣り合った直動ガイド溝７７Ｍ同士の間に設けられて、回転リング７４の直動方向で複数の各ストッパ翼片７５と当接可能な複数のストッパ壁７８と、ソレノイド４０が励磁と消磁を繰り返すたびに、複数のストッパ翼片７５が複数のストッパ壁７８と当接した状態と、複数のストッパ翼片７５が複数の直動ガイド溝に受容された状態とに交互に切り替わるように、固定スリーブ７７内で回転リング７４を周方向の一方に間欠的に回転させる間欠回転機構を備えている。
【００６３】
また、間欠回転機構は、プランジャ４１のうち回転リング７４よりも先端側に設けられて、プランジャ４１と共にソレノイド４０に対して進退可能な直動リング７１と、直動リング７１のうち回転リング７４側の端面に形成されて、複数のストッパ翼片７５と軸方向で対峙した鋸歯状の環状カム面７１Ａと、ストッパ翼片７５の先端部に設けられて、周方向の一方に向かうに従って直動リング７１側に迫り出した先端傾斜面７５Ａと、ストッパ壁７８に設けられて、周方向の一方に向かうに従って回転リング７４から離れるように傾斜した１対の摺接面７８Ａ，７８Ｂと、それら１対の摺接面７８Ａ，７８Ｂの始端部と終端部とを連絡して周方向の他方側を向いた段差面７８Ｃとを備えている。
【００６４】
［第２実施形態］
以下、本発明の第２実施形態を図１４及び図１５に基づいて説明する。本実施形態は、オルタネイト機構７０の構成が上記第１実施形態とは異なり、その他の構造に関しては、第１実施形態と同様であるから、同一部位については同一符号を付すことで重複した説明は省略する。
【００６５】
図１５には、固定スリーブ７７の展開図が示されている。同図に示すように、固定スリーブ７７の内側には、上記第１実施形態と同様な構成の直動ガイド溝７７Ｍとストッパ壁７８とが、周方向に交互に設けられている。これら直動ガイド溝７７Ｍ及びストッパ壁７８は、固定スリーブ７７のうちソレノイド４０から離れた端部側に配設されている。また、固定スリーブ７７の内側には、鋸歯状の環状カム面７９が設けられている。環状カム面７９は、固定スリーブ７７におけるソレノイド４０側の端部寄り位置に形成されており、固定スリーブ７７の軸方向でストッパ壁７８と対峙している。
【００６６】
図１４に示すように、プランジャ４１の外側には回転リング８０（本発明の「可動リング」に相当する）が嵌合している。回転リング８０は、プランジャ４１の先端部から側方に張り出した抜止フランジ部４１Ｆによって抜け止めされており、プランジャ４１に対して直動可能かつ回転可能となっている。回転リング８０と圧縮コイルバネ４２との間で、力伝達バー４４の基端部に備えた連結リング４５が挟持されている。回転リング８０の外周面には、複数のストッパ翼片８１が設けられている。これらストッパ翼片８１は、回転リング８０の外周面から側方に突出して軸方向に延びており、直動ガイド溝７７Ｍとスライド可能に凹凸係合する。また、ストッパ翼片８１の軸方向の両端部のうち、ストッパ壁７８と対峙し得る先端部には、周方向の一方（図１５における左側方）に向かうに従って後方（図１５における下方）に迫り出した先端傾斜面８１Ａが形成されており、環状カム面７９と対峙する基端部には、周方向の一方に向かうに従って前方（図１５における上方）に迫り出した基端傾斜面８１Ｂが設けられている。
【００６７】
図１５を参照しながらオルタネイト機構７０の動作を説明する。なお、同図には、回転リング８０に備えた一のストッパ翼片８１の移動軌跡が一点鎖線で示されている。例えば、プランジャ４１、回転リング８０及び力伝達バー４４が後端位置に位置する状態で、ソレノイド４０が通電（励磁）されてプランジャ４１が前進すると、抜止フランジ４１Ｆが回転リング８０及び力伝達バー４４を前方に押して、回転リング８０がストッパ翼片８１と直動ガイド溝７７Ｍとを案内にして固定スリーブ７７内を前進（図１５における上方に移動）する。プランジャ４１等が前進端に到達する直前に、複数のストッパ翼片８１がそれぞれ直動ガイド溝７７Ｍから離脱して、直動ガイド溝７７Ｍとストッパ翼片８１との係合による回転リング８０の回転規制が解除される。また、さらなる前進により、ストッパ翼片８１の基端部が環状カム面７９と摺接して、回転リング８０が周方向の一方（図１５における左側方）に回動してから停止する。
【００６８】
プランジャ４１等が前進端に位置する状態で、ソレノイド４０の通電が停止（消磁）すると、圧縮コイルバネ４２の付勢力によって回転リング８０がプランジャ４１と共に後退（図１５における下方に移動）する。このとき、ストッパ翼片８１の先端部がストッパ壁７８の第１摺接面７８Ａと摺接して、回転リング８０が周方向の一方に回動する。そして、ストッパ翼片８１がストッパ壁７８の段差面７８Ｃと当接することで、回転リング８０の回転と後退とが禁止される。これにより、回転リング８０及び力伝達バー４４は、圧縮コイルバネ４２に抗して前端寄り位置で停止する。即ち、ソレノイド４０の通電が停止（消磁）した状態で、装飾用透光部材３２をその直動範囲の前端寄り位置に停止させかつ、１対の開閉カバー３５，３６を、図４（Ｃ），図５（Ｃ）及び図６（Ｃ）に示すように、装飾用透光部材３２を前方に露出させた開位置寄り位置に停止させることができる。
【００６９】
次に、再びソレノイド４０が通電（励磁）されてプランジャ４１が前進すると、抜止フランジ４１Ｆに押された回転リング８０が段差面７８Ｃを案内にして前進する。プランジャ４１が前進端に到達する直前に、回転リング８０のストッパ翼片８１が段差面７８Ｃを乗り越えて、段差面７８Ｃとストッパ翼片８１との係合による回転リング８０の回転規制が解除される。また、さらなる前進により、ストッパ翼片８１の基端部が、環状カム面７１Ａと摺接することで回転リング８０が周方向の一方に回動する。
【００７０】
プランジャ４１等が前進端に位置する状態で、再びソレノイド４０の通電が停止（消磁）すると、圧縮コイルバネ４２の付勢力によって回転リング８０がプランジャ４１と共に後退する。このとき、ストッパ翼片８１の先端部が、ストッパ壁７８の第２傾斜面７８Ｂと摺接して回転リング８０が周方向の一方に回動し、ストッパ翼片８１が第２傾斜面７８Ｂの終端部から直動ガイド溝７７Ｍに進入する。これにより、回転リング８０及び力伝達バー４４が後端位置まで押し戻される。即ち、装飾用透光部材３２がその直動範囲の後端位置まで戻されると共に、１対の開閉カバー３５，３６が、図４（Ａ），図５（Ａ）及び図６（Ａ）に示すように、装飾用透光部材３２を前方から覆った閉位置に戻される。本実施形態によっても、上記第１実施形態と同等の効果を奏する。
【００７１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７２】
（１）上記実施形態では、本発明に係る「往復可動部品」として、直動部品（装飾用透光部材３２）と回動部品（１対の開閉カバー３５，３６）とを備えていたが、直動部品と回動部品の何れか一方だけを備えていてもよい。また、開閉カバー３５，３６が対をなしていたが、開閉カバーは１つでもよい。また、１対の開閉カバー３５，３６は、上下に回動して開閉するように構成されていたが、左右に回動して開閉するようにしてもよい。さらに、開閉カバーは、上下、左右、斜めにスライドして開閉するようにしてもよい。
【００７３】
（２）上記実施形態では、装飾用透光部材３２が開閉カバー３５，３６の開閉に伴って前後方向に直動し、その後方にＬＥＤ３３Ａが固定配置されていたが、装飾用透光部材３２とＬＥＤ３３Ａとが共に前後方向に直動するようにしてもよい。また、装飾用透光部材３２を無くして、本発明の「直動部品」として備えたＬＥＤ３３Ａだけが直動するようにしてもよい。
【００７４】
（３）上記実施形態では、装飾用透光部材３２が遊技球を模した立体形状となっていたが、その他の形状でもよい。また、開閉カバー３５，３６がキャラクターの頭部（上顎、下顎）を模した立体形状となっていたが、その他の形状でもよい。
【００７５】
（４）上記実施形態では、可動装飾役物３０が第１始動入賞部１８及び第２始動入賞部２３の近傍に配置されていたが、その他の入賞部２０，２２や入賞ゲート１６の近傍に配置してもよい。
【００７６】
（５）上記実施形態では、第１始動入賞部１８への遊技球の入賞を起因にして、開閉カバー３５，３６が開放するように構成されていたが、その他の入賞部２０，２２，２３又は入賞ゲート１６への入賞や、小当たり抽選や大当たり抽選での当選を起因にして開閉カバー３５，３６を開放させてもよい。また、液晶表示装置１５における演出内容に合わせて開閉カバー３５，３６が開放するようにしてもよい。
【００７７】
（６）上記実施形態では、開閉カバー３５，３６の開放動作と装飾用透光部材３２の前進動作とが、同時に開始しかつ同時に停止するように構成されていたが、それらの動作の開始又は停止のタイミングがずれていてもよい。
【００７８】
（７）オルタネイト機構は、上記第１又は第２実施形態の構成に限定するものではなく、その他の構成でもよい。
【符号の説明】
【００７９】
１０    パチンコ遊技機
３０    可動装飾役物
３２    装飾用透光部材
３５    第１開閉カバー（往復可動部品、回動部品）
３６    第２開閉カバー（往復可動部品、回動部品）
４０    ソレノイド
４１    プランジャ
４４    力伝達バー（往復可動部品、直動部品）
７０    オルタネイト機構（位置保持機構）
７４    回転リング（可動ローラ）
７７    固定スリーブ
８０    回転リング（可動ローラ）
【図１】
2014212920.tif 000003
【図２】
2014212920.tif 000004
【図３】
2014212920.tif 000005
【図４】
2014212920.tif 000006
【図５】
2014212920.tif 000007
【図６】
2014212920.tif 000008
【図７】
2014212920.tif 000009
【図８】
2014212920.tif 000010
【図９】
2014212920.tif 000011
【図１０】
2014212920.tif 000012
【図１１】
2014212920.tif 000013
【図１２】
2014212920.tif 000014
【図１３】
2014212920.tif 000015
【図１４】
2014212920.tif 000016
【図１５】
2014212920.tif 000017